【手続補正書】
【提出日】平成18年6月21日(2006.6.21)
【手続補正１】
【補正対象書類名】特許請求の範囲
【補正対象項目名】全文
【補正方法】変更
【補正の内容】
【特許請求の範囲】
【請求項１】
微粒子を所望の粒径以下の粒径に分級せしめる分級装置と、上記分級装置により分級した微粒子と、上記微粒子の加速ガスと、上記加速ガスを目標物上に噴射せしめる手段とよりなり、常温大気圧下において、上記噴射により上記目標物上に膜を形成せしめることを特徴とする目標物に対する膜の形成装置。
【請求項２】
上記微粒子がセラミックス粒子であることを特徴とする請求項１記載の目標物に対する膜の形成装置。
【請求項３】
上記微粒子が金属粒子であることを特徴とする請求項１記載の目標物に対する膜の形成装置。
【請求項４】
上記微粒子が歯質成分粒子であり、上記目標物が歯であることを特徴とする請求項１記載の目標物に対する膜の形成装置。
【請求項５】
上記歯質成分粒子はフッ素処理されていることを特徴とする請求項４記載の目標物に対する膜の形成装置。
【請求項６】
所望の粒径以下の粒径の微粒子を選別する工程と、
常温大気圧下において、上記選別した微粒子と加速ガスを目標物上に噴射せしめ、上記目標物上に膜を形成せしめる工程と
より成ることを特徴とする目標物に対する膜の形成方法。
【請求項７】
上記微粒子はセラミックス粒子であることを特徴とする請求項６記載の目標物に対する膜の形成方法。
【請求項８】
上記微粒子は金属粒子であることを特徴とする請求項６記載の目標物に対する膜の形成方法。
【請求項９】
上記微粒子が歯質成分粒子であり、上記目標物が歯であることを特徴とする請求項６記載の目標物に対する膜の形成方法。
【請求項１０】
所望の粒径以上の粒径の微粒子を選別する工程と、
常温大気圧下において、上記選別した微粒子と加速ガスを歯上に噴射せしめ、上記歯を除去する工程と、
所望の粒径以下の粒径の歯質成分粒子を選別する工程と、
常温大気圧下において、上記歯質成分粒子と加速ガスを歯上に噴射せしめ、上記歯上に膜を形成せしめる工程と
より成ることを特徴とする目標物に対する膜の形成方法。
【請求項１１】
所望の粒径以下の粒径の歯質成分粒子を選別する第一の工程と、
常温大気圧下において、上記選別した歯質成分粒子と加速ガスを歯上に噴射せしめ、上記歯上に第１の膜を形成せしめる第二の工程と、
常温大気圧下において、上記選別した歯質成分粒子と微粒子と加速ガスを上記第１の膜上に噴射せしめ、上記第１の膜上に歯質成分粒子と微粒子の混合物の第２の膜を形成せしめる第三の工程と
より成ることを特徴とする目標物に対する膜の形成方法。
【請求項１２】
所望の粒径以下の粒径の歯質成分粒子を選別する第一の工程と、
常温大気圧下において、上記選別した歯質成分粒子と加速ガスを歯上に噴射せしめ、上記歯上に第１の膜を形成せしめる第二の工程と、
常温大気圧下において、上記選別した歯質成分粒子と微粒子と加速ガスを上記第１の膜上に噴射せしめ、上記第１の膜上に歯質成分粒子と微粒子の混合物の第２の膜を形成せしめる第三の工程と、
上記第三の工程における歯質成分粒子の量に対する微粒子の量の割合をより増やして、常温大気圧下において、上記選別した歯質成分粒子と微粒子と加速ガスを上記混合物の第２の膜上に噴射せしめ、上記混合物の第２の膜上に歯質成分粒子と微粒子の混合物の第３の膜を形成せしめる第四の工程と、
上記第三の工程と上記第四の工程を繰り返して、上記歯上に歯質成分粒子の量に対する微粒子の量の割合が徐々に増える混合物の膜を形成せしめる第五の工程と、
上記混合膜上に充填材を付着せしめる第六の工程と
より成ることを特徴とする目標物に対する膜の形成方法。
【請求項１３】
上記微粒子はレジン粒子であることを特徴とする請求項１１または１２記載の目標物に対する膜の形成方法。
【請求項１４】
上記微粒子は金属粒子であることを特徴とする請求項１１または１２記載の目標物に対する膜の形成方法。
【請求項１５】
上記歯質成分粒子はフッ素処理されていることを特徴とする請求項９、１０、１１、１２、１３または１４記載の目標物に対する膜の形成方法。
【手続補正２】
【補正対象書類名】明細書
【補正対象項目名】０００７
【補正方法】変更
【補正の内容】
【０００７】
本発明の目標物に対する膜の形成装置は、微粒子を所望の粒径以下の粒径に分級せしめる分級装置と、上記分級装置により分級した微粒子と、上記微粒子の加速ガスと、上記加速ガスを目標物上に噴射せしめる手段とよりなり、常温大気圧下において、上記噴射により上記目標物上に膜を形成せしめることを特徴とする。また、本発明の目標物に対する膜の形成方法は、所望の粒径以下の粒径の微粒子を選別する工程と、常温大気圧下において、上記選別した微粒子と加速ガスを目標物上に噴射せしめ、上記目標物上に膜を形成せしめる工程とより成ることを特徴とする。
【手続補正３】
【補正対象書類名】明細書
【補正対象項目名】０００８
【補正方法】変更
【補正の内容】
【０００８】
上記微粒子は、セラミックス粒子、金属粒子又は歯質成分粒子である。また、上記歯質成分粒子は、フッ素処理されていることを特徴とする。
【手続補正４】
【補正対象書類名】明細書
【補正対象項目名】０００９
【補正方法】変更
【補正の内容】
【０００９】
本発明の目標物に対する膜の形成方法は、所望の粒径以上の粒径の微粒子を選別する工程と、常温大気圧下において、上記選別した微粒子と加速ガスを歯上に噴射せしめ、上記歯を除去する工程と、所望の粒径以下の粒径の歯質成分粒子を選別する工程と、常温大気圧下において、上記歯質成分粒子と加速ガスを歯上に噴射せしめ、上記歯上に膜を形成せしめる工程とより成ることを特徴とする。
【手続補正５】
【補正対象書類名】明細書
【補正対象項目名】００１０
【補正方法】変更
【補正の内容】
【００１０】
本発明の目標物に対する膜の形成方法は、所望の粒径以下の粒径の歯質成分粒子を選別する第一の工程と、常温大気圧下において、上記選別した歯質成分粒子と加速ガスを歯上に噴射せしめ、上記歯上に第１の膜を形成せしめる第二の工程と、常温大気圧下において、上記選別した歯質成分粒子と微粒子と加速ガスを上記第１の膜上に噴射せしめ、上記第１の膜上に歯質成分粒子と微粒子の混合物の第２の膜を形成せしめる第三の工程とより成ることを特徴とする。
【手続補正６】
【補正対象書類名】明細書
【補正対象項目名】００１１
【補正方法】変更
【補正の内容】
【００１１】
本発明の目標物に対する膜の形成方法は、所望の粒径以下の粒径の歯質成分粒子を選別する第一の工程と、常温大気圧下において、上記選別した歯質成分粒子と加速ガスを歯上に噴射せしめ、上記歯上に第１の膜を形成せしめる第二の工程と、常温大気圧下において、上記選別した歯質成分粒子と微粒子と加速ガスを上記第１の膜上に噴射せしめ、上記第１の膜上に歯質成分粒子と微粒子の混合物の第２の膜を形成せしめる第三の工程と、上記第三の工程における歯質成分粒子の量に対する微粒子の量の割合をより増やして、常温大気圧下において、上記選別した歯質成分粒子と微粒子と加速ガスを上記混合物の第２の膜上に噴射せしめ、上記混合物の第２の膜上に歯質成分粒子と微粒子の混合物の第３の膜を形成せしめる第四の工程と、上記第三の工程と上記第四の工程を繰り返して、上記歯上に歯質成分粒子の量に対する微粒子の量の割合が徐々に増える混合物の膜を形成せしめる第五の工程と、上記混合膜上に充填材を付着せしめる第六の工程とより成ることを特徴とする。
【手続補正７】
【補正対象書類名】明細書
【補正対象項目名】００１２
【補正方法】変更
【補正の内容】
【００１２】
上記微粒子はレジン粒子又は金属粒子である。また、上記歯質成分粒子は、フッ素処理されていることを特徴とする。
【手続補正８】
【補正対象書類名】明細書
【補正対象項目名】００４７
【補正方法】変更
【補正の内容】
【００４７】
また、フッ素でターミネート（処理）した平均粒径が３μｍのＨＡ粒子の場合には、処理していないＨＡ粒子よりも膜厚を大きくすることができ、目標物との結合を強くせしめることができる。